(57)【特許請求の範囲】
【請求項１】
複数種類の品種及びサイズに対応可能とされ、原反ロールを複数の製品幅ロールと中間幅ロールとに裁断する裁断装置と、
前記原反ロールとは別の原反ロールと、裁断装置で形成された製品幅ロールと中間幅ロールとを貯蔵するロールストッカーと、
前記ロールストッカーより供給された製品幅ロールからウェブを引き出し、所定長さで切断してシート体を形成し、このシート体を所定枚数単位で重ねてシート集積体を形成し、シート集積体を保護カバーで挟み込んでカバー装填体を形成し、カバー装填体を包装袋に収納して包装体を形成する品種・サイズ限定切断内装ラインが複数列設けられ、それぞれ対応品種及びサイズが設定された品種・サイズ限定切断内装ライン群と、
前記ロールストッカーより供給された原反ロールもしくは中間幅ロールから引き出したウェブを製品幅に裁断し、製品幅のウェブを所定長さで切断してシート体を形成し、このシート体を所定枚数単位で重ねてシート集積体を形成する裁切断集積装置を有し、前記シート集積体を保護カバーで挟み込んでカバー装填体を形成し、カバー装填体を包装袋に収納して包装体を形成するとともに、品種及びサイズが変更可能とされた多品種・多サイズ対応裁切断内装ラインと、
複数種類の品種及びサイズに対応可能とされ、前記包装体を包装箱に収納する製函・箱詰装置とからなることを特徴とするシート体の生産・包装システム。
【請求項２】
前記品種・サイズ限定切断内装ラインは、製品幅ロールから引き出したウェブを所定長さで切断してシート体を形成し、このシート体を所定枚数単位で重ねてシート集積体を形成する切断集積装置と、
シート集積体を保護カバーで挟み込んでカバー装填体を形成する保護カバー装填装置と、
カバー装填体を包装袋に収納して包装体を製造する袋詰装置とからなることを特徴とする請求項１記載のシート体の生産・包装システム。
【請求項３】
前記多品種・多サイズ対応裁切断内装ラインは、前記裁切断集積装置によって形成されたシート集積体を品種及びサイズに合わせて保護カバーで挟み込みカバー装填体を形成する保護カバー装填手段と、
品種及びサイズに合わせてカバー装填体を包装袋に収納して包装体を製造する袋詰手段とからなることを特徴とする請求項１または２記載のシート体の生産・包装システム。
【請求項４】
前記保護カバー装填手段は、品種及びサイズに合わせて前記シート集積体を保護カバーで挟み込んでカバー装填体を形成する自動機、または人手による作業であることを特徴とする請求項３記載のシート体の生産・包装システム。
【請求項５】
前記袋詰手段は、品種及びサイズに合わせて前記カバー装填体を包装袋に収納して包装体を製造する自動機、または人手による作業であることを特徴とする請求項３または４記載のシート体の生産・包装システム。
【請求項６】
前記保護カバー装填装置、または保護カバー装填手段の自動機のいずれか一方または両方は、シート集積体をハンドリングして保護カバーで挟み込む汎用ロボットからなることを特徴とする請求項２または４記載のシート体の生産・包装システム。
【発明の詳細な説明】
【０００１】
【発明の属する技術分野】
本発明は、シート体を生産して集積し、包装するシート体の生産・包装システムに関するものである。
【０００２】
【従来の技術】
医療用撮影フイルムには、直医用フイルムと出力用フイルムとがある。直医用フイルムには、代表的なものとして周知の直接撮影用Ｘ線フイルムがある。
【０００３】
出力用フイルムは、レーザーイメージャー等の画像出力装置にて使用される。画像出力装置は、医療用デジタル撮影装置によって撮影された画像データに基づいて、Ｈｅ−Ｎｅレーザーや赤外光レーザー等を使用して、出力用フイルムに画像を記録する。近年では、医療用デジタル撮影装置の普及によって、医療用撮影フイルム中に占める出力用フイルムの割合が増えている。
【０００４】
医療用撮影フイルムは、長方形のシート体であり、複数枚が重ねて集積され、厚紙等で形成された保護カバーに挟み込んで保護される。保護カバーに挟み込まれた複数枚の医療用撮影フイルムは、包装袋に密封包装され、更に包装箱に収納されて販売されている。医療用撮影フイルムは、従来からサイズの種類は少なく、出力用フイルムの普及によって、出力用フイルムにて設定されている半切（Ｈ）サイズ，Ｂ４サイズが主流となっている。
【０００５】
直医用フイルムと出力用フイルムとでは、保護カバーと包装箱との形態が異なっている。直医用フイルムは暗室内で１枚ずつカセッテにセットされるので、開封された包装袋内に未使用の直医用フイルムが残ることになる。そのため、包装箱は、包装袋が収納される箱本体と、この箱本体の端部に嵌着される蓋とから構成されており、残った直医用フイルムを光や湿度から保護し、次に使用する際に取り出しやすくされている。また、保護カバーは、直医用フイルムを保護するだけの機能しか有していないため、直医用フイルムの表裏全面を覆う形態となっている。
【０００６】
これに対し、出力用フイルムは、包装袋から取り出されて画像出力装置に全枚数がセットされる。そのため、包装箱を再度使用することがないので、光密に閉じることのできる蓋は設けられていない。更に、明室にて手早く、指紋や汚れなどを出力用フイルムに付着させずに画像出力装置にセットするために、出力用フイルムを保護カバーに挟んだまま画像出力装置にセットしている。そのため、出力用フイルムの保護カバーの保護面は、給送時に干渉しないように部分的に切り欠かれている。
【０００７】
上記医療用撮影フイルムの生産システムは、幅の広い感光材料のウェブを製品サイズの幅のウェブに裁断する裁断装置と、裁断したウェブを切断してシート体を生産し、所定枚数単位で重ねてシート集積体を形成する切断集積装置と、シート集積体を保護カバーに装填しカバー装填体を形成する保護カバー装填装置と、カバー装填体を包装袋内に袋詰めして包装体を形成する袋詰装置と、包装体を包装箱内に収納する箱詰装置等から構成されている。
【０００８】
【発明が解決しようとする課題】
ドライＸ線フイルムの普及や、環境問題への対応によって医療用撮影装置の変更が増えている。これにともない、医療用撮影フイルムも保護カバーや包装形態の変更が多くなっている。従来の医療用撮影フイルムの生産システムは、シートサイズの種類が少ないため、特定のサイズごとに専用に構成されていた。そのため、保護カバーや包装形態の急な変更には、対応するまでに時間がかかっており、生産性の低下を招くものであった。また、コスト等の面から、生産システムを自動化することが望ましいが、自動化が進むと急な変更への対応が難しくなる。保護カバーや包装形態の変更への対応が可能な生産システムの自動化も考えられるが、機構的に複雑になり高価なものであった。
【０００９】
更に、切断集積装置，保護カバー装填装置，袋詰装置，箱詰装置を直結するには、能力バランスやサイズ及び品種等に対するフレキシビリティーを各装置に備える必要があり、生産システムの高価格化を招くものであった。
【００１０】
上記問題を解決するために、特開平５−５１０２１号公報記載のシート集積体生産システムでは、袋詰装置の上流に切断集積装置を複数台並べて１台の包装装置に合流させ、処理能力の高い包装装置を効率よく稼働させるようにしている。しかしながら、この発明では包装装置の処理能力を最小単位として検討しているため、要求される生産能力とのギャップが生じた場合や、生産能力を調整したい場合、サイズや品種等の変更が生じた際には、必要以上のスペース，投資負担が発生する。
【００１１】
本発明は、上記問題点を解決するためのもので、シート体のサイズ変更や包装形態の変更に対して、最小の設備投資で対応するとともに、生産性を向上させることのできるシート体の生産・包装システムを提供することを目的とする。
【００１２】
【課題を解決するための手段】
上記問題点を解決するために、本発明のシート体の生産・包装システムは、複数種類の品種及びサイズに対応可能とされ、原反ロールを複数の製品幅ロールや中間幅ロールに裁断する裁断装置と、
原反ロールと、裁断装置で形成された製品幅ロールと中間幅ロールとを貯蔵するロールストッカーと、
対応品種及びサイズが限定された専用ラインである品種・サイズ限定切断内装ラインと、
複数種類の品種及びサイズに対応可能とされた汎用ラインである多品種・多サイズ対応裁切断内装ラインと、
品種・サイズ限定切断内装ラインと多品種・多サイズ対応切断内装ラインとから送り出された包装体を一時的に貯蔵する中間貯蔵庫と、
中間貯蔵庫から取り出した包装体を包装箱に収納する製函・箱詰装置とから構成したものである。
【００１３】
また、品種・サイズ限定切断内装ラインは、製品幅ロールから引き出したウェブを所定長さで切断してシート体を形成し、このシート体を所定枚数単位で重ねてシート集積体を形成する切断集積装置と、シート集積体を保護カバーで挟み込んでカバー装填体を形成する保護カバー装填装置と、カバー装填体を包装袋に収納して包装体を製造する袋詰装置とから構成したものである。この品種・サイズ限定切断内装ラインは、複数列配置してもよい。
【００１４】
更に、多品種・多サイズ対応裁切断内装ラインは、原反ロールもしくは中間幅ロールから引き出したウェブを製品幅に裁断し所定長さで切断してシート体を形成し、このシート体を所定枚数単位で重ねてシート集積体を形成する裁切断集積装置と、品種及びサイズに合わせてシート集積体にコーナーカットを施すコーナーカット装置と、品種及びサイズに合わせてシート集積体を保護カバーで挟み込みカバー装填体を形成する保護カバー装填工程と、品種及びサイズに合わせてカバー装填体を包装袋に収納して包装体を製造する袋詰工程とから構成したものである。
【００１５】
また、上記保護カバー装填工程及び袋詰工程は、品種及びサイズに合わせて、人手または自動機により行なうようにしたものである。
【００１６】
保護カバー装填装置や保護カバー装填工程の自動機には、シート集積体をハンドリングして保護カバーで挟み込む汎用ロボットを用いてもよい。
【００１７】
【発明の実施の形態】
図１は、Ｈサイズの出力用フイルムの生産及び包装の工程を示す概念図である。シート体である出力用フイルム２は、製品サイズの幅を有する製品幅ウェブ４５が製品幅ロール４８から引き出されて所定長さごとに切断され、角部がコーナーカットされることにより形成される。出力用フイルム２は重ねて集積され、所定枚数に達するとシート集積体５として次工程に送り出される。
【００１８】
次工程では、保護カバー７によってシート集積体５が挟み込まれる。この保護カバー７は、厚紙や樹脂シートなどが長方形に裁断され部分的に切欠が形成された基材８を７ａ〜７ｄの仮折り部で仮折りして形成される。
【００１９】
保護カバー７は、面積の大きな下保護面７ｅがシート集積体５上に重ねられ、シート集積体５と保護カバー７とが一緒に反転される。そして、保護カバー７の他方の上保護面７ｆがシート集積体５上に重ねられるように仮折り部分に沿って折り畳まれ、二つのフラップ７ｇ，７ｈがシート集積体５の側面を保護するように折り畳まれる。保護カバー７の上保護面７ｆは、保護カバー７ごとシート集積体５を画像出力装置にセットした際に、給送時に干渉しないような形態とされている。
【００２０】
シート集積体５を保護カバー７に挟み込んでなるカバー装填体１０は、ピロー包装によって形成された包装袋１２内に収納されて密封される。包装袋１２の周囲に余るヒレ１２ａ，１２ｂは内側に折り込まれ、ラベル１３の貼着によって抑えられる。
【００２１】
包装袋１２にカバー装填体１０を収納してなる包装体１５は、厚紙で形成された包装箱１７に収納される。包装箱１７の開口は閉じられ、ラベル１７ａの貼着により塞がれる。この包装箱１７には、開封用のジッパーが１７ｂが設けられている。
【００２２】
図２は、Ｂ４サイズの出力用フイルムの生産及び包装の過程を概略的に示す説明図である。長方形の出力用フイルム２０は、製品幅ロール２１から引き出された製品幅ウェブ２２の幅方向が長辺方向となるように形成される。
【００２３】
出力用フイルム２０を所定枚数重ねたシート集積体２３は、保護カバー２４に装填される。保護カバー２４は、基材２５を２４ａ〜２４ｄの仮折り部で仮折りし、面積の大きな下保護面２４ｅと上保護面２４ｆと、フラップ２４ｇ，２４ｈとを形成したもので、上述のカバー装填体１０と同じように、下保護面２４ｅと上保護面２４ｆとの間にシート集積体２３が挟み込まれる。
【００２４】
シート集積体２３を保護カバー２４に挟み込んでなるカバー装填体２６は、ピロー包装によって形成された包装袋２７内に収納されて包装体２８となり、ヒレ２７ａ，２７ｂが折り畳まれてラベル２９が貼付された後に、包装箱３０に収納される。
【００２５】
図３は、本発明を実施した医療用撮影フイルムの生産・包装システムの構成を概略的に示すブロック図である。この生産システムは、上流側から裁断装置３３，ロールストッカー３４，第１品種・サイズ限定切断内装ライン３５〜第３品種・サイズ限定切断内装ライン３７，多品種・多サイズ対応裁切断内装ライン３８，中間貯蔵庫３９，製函・箱詰装置４０から構成されている。
【００２６】
裁断装置３３には、乳剤等が塗布された塗布済み原反ロール４２が供給される。図４に示すように、裁断装置３３は、原反ロール４２から幅の広い原反ウェブ４３を供給する原反ウェブ供給部４４と、搬送中の原反ウェブ４３を裁断し、複数本の製品サイズの幅の製品幅ウェブ４５を形成するスリッタ４６と、製品幅ウェブ４５を巻芯４７に巻き取って製品幅ロール４８を形成するウェブ巻取り部４９とからなる。巻芯４７は、ウェブ収納器５０内にセットされており、製品幅ロール４８はウェブ収納器５０内に形成される。
【００２７】
この裁断装置３３は、スリッタ４６を軸方向で移動させることにより、ＨサイズやＢ４サイズ等の各種サイズの製品幅ロールや、原反ロール４２を数個に裁断した中間幅ロール１１５を形成することができる。また、裁断装置３３の各部を照明するセーフライトは、フィルタの切り換えやライト自体の切り換えによって、直医用フイルムや出力用フイルム等の異なる品種を露光させないようになっている。これにより、裁断装置３３は、多品種・多サイズ対応となっている。
【００２８】
ロールストッカー３４は、原反ロール４２や中間幅ロール１１５，製品幅ロール４８を収納し、第１品種・サイズ限定切断内装ライン３５〜第３品種・サイズ限定切断内装ライン３７、及び多品種・多サイズ対応裁切断内装ライン３８に供給する。このロールストッカー３４においても、品種に合わせて切り換えられるセーフライトが使用されている。
【００２９】
図５は、第１品種・サイズ限定切断内装ライン３５の構成を示す概略図である。第１品種・サイズ限定切断内装ライン３５は、サイズ限定の切断集積装置５２と、品種及びサイズ限定の保護カバー装填装置５３と、品種及びサイズ限定の製袋・袋詰装置５４とから構成されている。
【００３０】
切断集積装置５２は、アンワインダ５６と、同時ラウンドコーナー切断機５７と、シート計数・集積機５８とから構成されている。アンワインダ５６には、製品幅ロール４８を収納したウェブ収納器５０がセットされる。製品幅ウェブ４５は、一定のテンションが与えられた状態で製品幅ロール４８から引き出される。製品幅ロール４８から引き出された製品幅ウェブ４５は、加熱ローラ６０によって加熱され、冷却装置６１で冷却されて巻癖が矯正される。
【００３１】
同時ラウンドコーナー切断機５７は、製品幅ウェブ４５を一定量ずつ搬送するサクションドラム６３と、このサクションドラム６３に電気的，機械的に同期するロータリーオシレイトカッター６４と、出力用フイルム２を搬送する搬送機６５とからなる。
【００３２】
ロータリーオシレイトカッター６４は、製品幅ウェブ４５を所定長さに切断すると同時に、角部に円弧形状のカットを加えて、図１に示す出力用フイルム２を形成する。搬送機６５は、例えばコンベアからなり、出力用フイルム２を下流側のシート計数・集積機５８に向けて搬送する。搬送機６５の上部には、出力用フイルム２の長さを検査するカット長検査器６７が配置されている。
【００３３】
シート計数・集積機５８は、同時ラウンドコーナー切断機５７で形成された出力用フイルム２を重ねて集積する二つの集積台６９，７０と、これらの集積台６９，７０に出力用フイルム２を振り分ける振り分けゲート７１とからなる。振り分けゲート７１は、例えばエアシリンダ等によって駆動される。
【００３４】
集積台６９，７０の近傍には、保護カバー装填装置５３が配置されている。保護カバー装填装置５３は、集積台６９，７０から出力用フイルム２が複数枚集積されてなるシート集積体５を取り出すシートハンドリングロボット７３と、保護カバー７を保持するカバーハンドリングロボット７４と、保護カバー７の仮折りを行なう仮折り機７５と、シート集積体５を挟むように保護カバー７を折り込む折り込み機７６とから構成されている。
【００３５】
シートハンドリングロボット７３とカバーハンドリングロボット７４は、多関節のアームを備えた汎用の多軸ロボットからなる。シートハンドリングロボット７３のアームの先端には、シート集積体５と保護カバー７とを挟み込むロボットハンド７３ａが設けられている。カバーハンドリングロボット７４のアームの先端には、保護カバー７を吸着保持する吸着パッド７４ａが設けられている。
【００３６】
シートハンドリングロボット７３とカバーハンドリングロボット７４とは、保護カバー７の下保護面７ｅの上に、切断集積装置５２から取り出したシート集積体５を重ね、折り込み機７６に移載する。
【００３７】
仮折り機７５は、固定治具７８と、この固定治具７８の端面にラップするように下降する可動治具７９と、詳しくは図示しないが、可動治具７９を上下動させる移動機構とからなり、保護カバー７を仮折り部７ａ〜７ｄで仮折りする。
【００３８】
折り込み機７６は、保護カバー７にシート集積体５が重ねられた状態で載置される箱形状の基台８２と、保護カバー７の上保護面７ｆをシート集積体５の上に折り込む折込みアーム部８３と、アーム部８３を回動させる回動機構とからなる。
【００３９】
保護カバー７にシート集積体５が挟み込まれて形成されたカバー装填体１０は、エアシリンダなどを用いた押出し機構によって折り込み機７６から製袋・袋詰装置５４に送り出される。
【００４０】
製袋・袋詰装置５４は、ピロー包装機８５と、ヒレ折り機８６とから構成されている。ピロー包装機８５は、保護カバー装填装置５３から送り込まれたカバー装填体１０を下流に向けて搬送する。そして、例えばプラスチックフイルムとアルミ箔とが積層された包装フイルム８８の両側辺を加熱溶着して筒形状にし、この中にカバー装填体１０を収納してカバー装填体１０の前後で包装フイルム８８を加熱溶着する。包装フイルム８８は所定位置でカットされ、ヒレ１２ａ，１２ｂを備えた包装袋１２となる。
【００４１】
ヒレ折り機８６は、センタリング機構９０と、ヒレ折りロボット９１，９２と、図示しないラベル貼付機とからなる。センタリング機構９０は、一対のシリンダ９４，９５からなり、包装袋１２を両側方から同時に押圧してセンタリングを行う。
【００４２】
ヒレ折りロボット９１，９２は、汎用の多軸ロボットからなり、包装袋１２のヒレ１２ａ，１２ｂを把持し、包装袋１２上に折り込むことのできるロボットハンド９１ａ，９２ａをそれぞれ備えている。折り込まれたヒレ１２ａ，１２ｂは、ラベル１３が張り付けられて包装袋１２に固定され、包装体１５が完成される。
【００４３】
なお、切断集積装置５２はＨサイズ限定、保護カバー装填装置５３及び製袋・袋詰装置５４は品種及びサイズが限定とされている。しかしながら、ここでいう限定とは、機械的な機構などによって簡単に設定を変更することはできないが、手作業による調整作業や、カッタユニット，ロボットプログラム，ロボットハンド等の各種パーツの交換などによって、異なる品種及びサイズに対応させることができることを意味している。
【００４４】
そのため、第２品種・サイズ限定切断内装ライン３６及び第３品種・サイズ限定切断内装ライン３７で使用されている各装置９５〜１００は、設定や使用パーツが変更されて出力用及びＢ４サイズと、直医用及びＨサイズとに対応させられているだけであり、第１品種・サイズ限定切断内装ライン３５の各装置５２〜５４と同じものである。なお、第３品種・サイズ限定切断内装ライン３７の製袋・袋詰装置１００は、直医用のものであるため、三方シール包装機が用いられている。
【００４５】
図６は、多品種・多サイズ対応裁切断内装ライン３８の構成を示す概略図である。多品種・多サイズ対応裁切断内装ライン３８は、多品種及び多サイズ対応の裁切断装置１０３と、コーナーカット機１０４と、保護カバー装填工程１０５と、２種類の製袋・袋詰装置１０６，１０７、及び手作業包装工程１０８とから構成されている。
【００４６】
裁切断装置１０３は、アンワインダ１１０と、スリッタ１１１と、カッター１１２と、シート計数・集積機１１３とから構成されている。アンワインダ１１０には、原反ロール４２または中間幅ロール１１５がセットされる。例えば、アンワインダ１１０にセットされた中間幅ロール１１５からは一定のテンションが与えられた状態で中間幅ウェブ１１６が引き出される。中間幅ウェブ１１６は、加熱ローラ１１７によって加熱され、冷却装置１１８で冷却されて巻癖が矯正される。
【００４７】
スリッタ１１１は、軸方向で移動自在とされており、様々な幅寸法の製品幅ウェブ１２１を製造することができる。カッター１１２は、製品幅ウェブ１２１を切断してシート体１２２を製造するもので、製造するシート体１２２の長さに合わせて作動される。カッター１１２の下流側には、シート体１２２の長さ測定に用いられるカット長検査器１２３が配置されている。
【００４８】
カット長検査器１２３の下流側には、シート体１２２を上方と下方とに振り分けて、複数のシート集積体１２６を形成する振り分けゲート１２５が配置されている。
【００４９】
裁切断装置１０３で形成されたシート集積体１２６のコーナーカット機１０４への移載は、手作業によって行なわれる。コーナーカット機１０４では、生産中のシート体１２２の規格に合わせて適宜設定が変更され、４隅のコーナーカットとノッチの形成とが行なわれる。また、コーナーカット後には、次の保護カバー装填作業に合わせてシート集積体１２６の方向転回や反転等が行なわれる。
【００５０】
保護カバー装填工程１０５では、手作業によってシート集積体１２６の保護カバー１３０への装填が行なわれる。手作業によって形成されたカバー装填体１３１は、シート体１２２の種類に応じて、ピロー包装機１０６、または三方シール包装機１０７、または手作業包装工程のいずれかに手作業で移載される。
【００５１】
ピロー包装機１０６は、出力用フイルムの包装に用いられる。このピロー包装機１０６は、第１品種・サイズ限定切断内装ライン３５の製袋・袋詰装置５４と同様のもので、筒状に形成した包装フイルム内にカバー装填体１３１を収納し、前後でシールをした後にヒレを折り畳んで包装体１３３が形成される。
【００５２】
三方シール包装機１０７は、直医用フイルムの包装に用いられる。この三方シール包装機１０７は、カバー装填体１３５を包装フイルムで挟み込み、三方をシールした後にヒレを折り畳んで包装体１３６が形成される。
【００５３】
手作業包装工程１０８は、手作業によってカバー装填体１３１を包装フイルムで包装する、もしくは予め袋状に構成して包装フイルムにカバー装填体を挿入し、シールすることで包装体１３８を形成するものである。手作業包装工程１０８では、ピロー包装機１０６または三方シール包装機１０７で対応できない種類やサイズ、または包装形態の包装が行なわれる。
【００５４】
多品種・多サイズ対応裁切断内装ライン３８は、第１品種・サイズ限定切断内装ライン３５〜第３品種・サイズ限定切断内装ライン３７に較べて自動化レベルが低く生産性は低いが、手作業を適宜用いることで第１品種・サイズ限定切断内装ライン３５〜第３品種・サイズ限定切断内装ライン３７よりも高いフレキシビリティを有している。そのため、生産量の少ない製品や新製品等の初期生産段階では、多品種・多サイズ対応裁切断内装ライン３８を使用し、生産量が安定した後に、第１品種・サイズ限定切断内装ライン３５〜第３品種・サイズ限定切断内装ライン３７での生産に切り換える等の運用を行なうことができる。
【００５５】
第１品種・サイズ限定切断内装ライン３５〜第３品種・サイズ限定切断内装ライン３７、及び多品種・多サイズ対応裁切断内装ライン３８で形成された包装体１５，２８，１３３，１３６，１３８は、中間貯蔵庫３９に一時的に貯蔵される。そして、製函・箱詰装置４０に供給され、包装箱に収納される。
【００５６】
次に、上記実施形態の作用について説明する。図４に示すように、裁断装置３３では、幅の広い原反ロール４２が原反ウェブ供給部４４にセットされ、原反ウェブ４３が搬送される。搬送中の原反ウェブ４３は、スリッタ４６によって裁断され、複数本の製品サイズの幅の製品幅ウェブ４５が形成される。各製品幅ウェブ４５は、ウェブ巻取り部４９にセットされた巻芯４７に巻き取られて製品幅ロール４８となる。
【００５７】
原反ロール４２と、裁断装置３３で形成された製品幅ロール４８及び中間幅ロール１１５は、ロールストッカー３４に収納される。このロールストッカー３４は多品種対応なので、異なる種類のフイルムを収納しても露光されることはない。
【００５８】
製品幅ロール４８を収納したウェブ収納器５０は、ロールストッカー３４から取り出されて、第１品種・サイズ限定切断内装ライン３５〜第３品種・サイズ限定切断内装ライン３７の各切断集積装置５２，９５，９８にセットされる。
【００５９】
第１品種・サイズ限定切断内装ライン３５〜第３品種・サイズ限定切断内装ライン３７では、生産数の多い品種及びサイズの医療用撮影フイルムの生産が行なわれている。図５に示すように、切断集積装置５２のアンワインダ５６にセットされた製品幅ロール４８からは、一定のテンションが与えられた状態で製品幅ウェブ４５が引き出される。製品幅ウェブ４５は、加熱ローラ６０と冷却装置６１とによって巻癖が矯正される。巻癖が取り除かれた製品幅ウェブ４５は、同時ラウンドコーナー切断機５７のサクションドラム６３によって一定量ずつ搬送される。そして、ロータリーオシレイトカッター６４にカットされ、図２に示す出力用フイルム２が形成される。
【００６０】
出力用フイルム２は、カット長検査機６７によって長さが測定される。規定範囲の長さにない出力用フイルム２は、ライン上から排除される。
【００６１】
振り分けゲート７１は、出力用フイルム２の搬送を集積台６９と７０とに振り分ける。集積台６９または７０の一方に規定枚数の出力用フイルム２が集積されると、保護カバー装填装置５３が動作を開始する。
【００６２】
シートハンドリングロボット７３は、アームの各関節を動かして集積台６９，７０の下方にロボットハンド７３ａを差し込む。そして、複数の出力用フイルム２からなるシート集積体５を掬い上げて取り出す。
【００６３】
また、保護カバー装填装置５３では、シート集積体５の集積台からの取り出しと並行して、保護カバー７の仮折込みが行なわれている。カバーハンドリングロボット７４は、積層された基材８から最上層のものを吸着パッド７４ａで吸着して保持する。取り出した基材８仮折り機７５に搬送し、各仮折り部７ａ〜７ｄを仮折りする。これにより、所要部が仮折りされた保護カバー７が完成する。
【００６４】
仮折りされた保護カバー７は、カバーハンドリングロボット７４によって、シートハンドリングロボット７３のロボットハンド７３ａに保持されたシート集積体５の上に重ねられる。シートハンドリングロボット７３は、ロボットハンド７３ａシート集積体５と保護カバー７とを挟み込み、ロボットハンド７３ａを回転させる。これにより、シート集積体５が保護カバー７の上に載置される。
【００６５】
シートハンドリングロボット７３は、アームの各関節を駆動させて、シート集積体５と保護カバー７とを折り込み機７６の基台８２上に載置する。折り込み機７６は、アーム部８３を回動させて、保護カバー７の上保護面７ｆをシート集積体５の上に折り込み、保護カバー７にシート集積体５が挟み込まれたカバー装填体１０を形成する。カバー装填体１０は、図示しない押し出し機構によって製袋・袋詰装置５４に送り出される。
【００６６】
製袋・袋詰装置５４のピロー包装機８５は、包装フイルム８８を筒状に形成し、その内部にカバー装填体１０を収納する。次いで、筒形状の包装フイルム８８の先端部と後端部とを加熱溶着し、カットして包装袋１２を形成する。
【００６７】
カバー装填体１０を収納した包装袋１２は、ヒレ折り機８６に搬送される。センタリング機構９０のシリンダ９４，９５は、両側方から包装袋１２を押圧してセンタリングを行なう。
【００６８】
ヒレ折りロボット９１，９２は、包装袋１２の後端側のヒレ１２ｂの角部をロボットハンド９１ａ，９２ａで把持し、シワが発生しないように両方向にテンションをかけながら、包装袋１２の上に折り込みを行なう。包装袋１２の先端側のヒレ１２ａも同様にして折り込まれる。折り込まれたヒレ１２ａ，１２ｂは、包装袋１２の上面に当接する押さえ機構によって開かないように押さえられ、ラベル貼付機によってラベル１３が張り付けられて包装袋１２に固定される。
【００６９】
第１品種・サイズ限定切断内装ライン３５で形成された包装体１５と、第２品種・サイズ限定切断内装ライン３６及び第３品種・サイズ限定切断内装ライン３７でそれぞれ形成された包装体は、中間貯蔵庫３９に貯蔵される。
【００７０】
多品種・多サイズ対応裁切断内装ライン３８では、品種・サイズ限定切断内装ラインでの製造には向かない、少量品種の生産が行なわれている。図６に示すように、多品種・多サイズ対応裁切断内装ライン３８では、裁切断装置１０３のアンワインダ１１０にセットされた中間幅ロール１１５から、一定のテンションが与えられた状態で中間幅ウェブ１１６が引き出される。中間幅ウェブ１１６は、加熱ローラ１１７と冷却装置１１８とによって巻癖が矯正される。巻癖が取り除かれた中間幅ウェブ１１６は、スリッタ１１１に裁断されて複数の製品幅ウェブ１２１が形成される。
【００７１】
カッター１１２は、製品幅ウェブ１２１をカットして複数のシート体１２２を形成する。シート体１２２は、カット長検査機１２３によって長さが測定される。規定範囲の長さにないシート体１２２は、ライン上から排除される。
【００７２】
振り分けゲート１２５は、シート体１２２の搬送を上下方向で振り分けて複数のシート集積体１２６を形成する。形成されたシート集積体１２６は、手作業によってコーナーカット機１０４に移載される。
【００７３】
コーナーカット機１０４は、シート集積体１２６のコーナーカットとノッチの形成とを行なう。また、コーナーカット後には、シート集積体１２６の方向転回や反転等が行なわれる。保護カバー装填工程１０５では、シート集積体１２６が保護カバー１３０に手作業で装填され、カバー装填体１３１が形成される。
【００７４】
カバー装填体１３１は、ピロー包装機１０６に手作業で移載される。ピロー包装機１０６は、筒状に形成した包装フイルム内にカバー装填体１３１を収納し、前後でシールをした後にヒレを折り畳んで包装体１３３を形成する。包装体１３３は、中間貯蔵庫３９に貯蔵される。なお、シート体の種類によっては、シート集積体は三方シール包装機１０７または手作業包装工程１０８に移載され、包装袋に包装される。
【００７５】
製函・箱詰装置４０は、包装箱１７，３０等を形成し、中間貯蔵庫３９から取り出した包装体１５，２８，１３３等を収納し、出力用フイルムや直医用フイルムの製品パッケージを完成させる。完成されたフイルムの製品パッケージは、種類やサイズ等に応じて段ボール箱に詰め込まれ、出荷される。
【００７６】
第１品種・サイズ限定切断内装ライン３５〜第３品種・サイズ限定切断内装ライン３７で製造されていた医療用撮影フイルムであっても、出荷数が減少した場合等には、多品種・多サイズ対応裁切断内装ライン３８での製造に切り換えられる。同様に、多品種・多サイズ対応裁切断内装ライン３８で製造していた少量品種の出荷数が増加した場合には、第１品種・サイズ限定切断内装ライン３５〜第３品種・サイズ限定切断内装ライン３７に専用の製造ラインが設けられる。
【００７７】
なお、上記実施形態では、多品種・多サイズ対応裁切断内装ライン３８において、シート集積体１２６やカバー装填体１３１の移載、保護カバーへの装填等を手作業で行なうようにしたが、品種・サイズ限定切断内装ライン３５〜３７のように、汎用ロボットを使用してもよい。
【００７８】
また、多品種・多サイズ対応裁切断内装ラインを１本、品種・サイズ限定切断内装ラインを３本という構成にしたが、これらは自由に設定することが可能である。
【００７９】
【発明の効果】
以上説明したように、本発明のシート体の生産・包装システムは、生産量の多い製品と生産量の少ない製品とを同じシステム内で生産・包装することができ、製品需要に応じて専用ラインを使用したり、汎用ラインを使用することもできる。これにより、サイズ変更や包装形態の変更に対して最小の設備投資で対応することができ、コストダウンと生産性向上とを図ることができる。
【図面の簡単な説明】
【図１】Ｈサイズの出力用フイルムの生産・包装過程を概念的に示す説明図である。
【図２】Ｂ４サイズの出力用フイルムの生産・包装過程を概念的に示す説明図である。
【図３】医療用フイルムの生産・包装システムの構成を概略的に示すブロック図である。
【図４】裁断装置の構成を示す外観斜視図である。
【図５】品種・サイズ限定切断内装ラインの構成を示す概略図である。
【図６】多品種・多サイズ対応裁切断内装ラインの構成を示す概略図である。
【符号の説明】
２，２０  出力用フイルム
５，２３  シート集積体
７，２４  保護カバー
１０，２６  カバー装填体
１２，２７  包装袋
１５，２８，１３３，１３６，１３８  包装体
１７，３０  包装箱
３３  裁断装置
３４  ロールストッカー
３５〜３７  品種・サイズ限定切断内装ライン
３８  多品種・多サイズ対応裁切断内装ライン
３９  中間貯蔵庫
４０  製函・箱詰装置
５２，９５，９８  切断集積装置
５３，９６，９９  保護カバー装填装置
５４，９７，１００  製袋・袋詰装置
１０３  裁切断装置
１０４  コーナーカット機
１０５  保護カバー装填工程
１０６  ピロー包装機
１０７  三方シール包装機
１０８  手作業包装工程
【図１】
0004173310.tif 000002
【図２】
0004173310.tif 000003
【図３】
0004173310.tif 000004
【図４】
0004173310.tif 000005
【図５】
0004173310.tif 000006
【図６】
0004173310.tif 000007